(57)【要約】【課題】傾斜屋根の屋根葺き材である屋根板のうち、軒先に位置する屋根板の変形を適切に抑制する。【解決手段】下地パネル１と、下地パネル１の上方で下地パネル１を覆う化粧鋼板２と、を有する傾斜屋根Ｒにおいて、下地パネル１の軒先側端部１ａに補強金具４が固定されており、化粧鋼板２のうち、軒先側端部１ａよりも外側に張り出した張り出し部２ａは、その自由端部２ｂが該自由端部２ｂと対向する対向部２ｃよりも下方に位置するようにコの字に折れ曲がっており、補強金具４のうち、軒先側端部１ａよりも外側に張り出した張り出し部４ａは、化粧鋼板２の張り出し部２ａの自由端部２ｂと対向部２ｃとの間に入り込んで当該張り出し部２ａと接合している。【選択図】図２
2015129409.tif 000002
【特許請求の範囲】
【請求項１】
傾斜状態で配置されている下地パネルと、該下地パネルの上方に位置して該下地パネルを覆う屋根板と、を有する傾斜屋根であって、
前記下地パネルの軒先側端部に補強部材が固定されており、
該補強部材は、前記軒先側端部よりも外側に張り出した補強部材側張り出し部を有し、
前記屋根板のうち、前記軒先側端部よりも外側に張り出した屋根板側張り出し部は、該屋根板側張り出し部の自由端部が該自由端部と対向する対向部よりも下方に位置するようにコの字に折れ曲がっており、
前記補強部材側張り出し部は、前記屋根板側張り出し部の前記自由端部と前記対向部との間に入り込んで前記屋根板側張り出し部と接合していることを特徴とする傾斜屋根。
【請求項２】
前記補強部材は、
軒先とは反対側に位置し前記軒先側端部に固定されている固定部と、
該固定部とは軒先側で隣接し前記固定部から立ち上がった立ち上がり部と、を有し、
該立ち上がり部の前記固定部に対する立ち上がり角度が鈍角であることを特徴とする請求項１に記載の傾斜屋根。
【請求項３】
前記補強部材は、前記傾斜屋根に設けられた軒先水切の延出方向に沿って列をなした状態で複数配置され、
前記延出方向において互いに隣り合う前記補強部材の間には隙間が形成されていることを特徴とする請求項１又は２に記載の傾斜屋根。
【請求項４】
前記延出方向における前記隙間の長さは、前記延出方向における前記補強部材の長さよりも長いことを特徴とする請求項３に記載の傾斜屋根。
【請求項５】
前記補強部材側張り出し部は、該補強部材側張り出し部の自由端部が該自由端部と対向する対向部よりも下方に位置するようにコの字に折れ曲がっており、
前記屋根板側張り出し部及び前記補強部材側張り出し部の双方は、互いに係合して接合していることを特徴とする請求項１乃至４のいずれか一項に記載の傾斜屋根。
【請求項６】
前記双方が係合した状態において、前記双方の各々において前記自由端部と前記対向部との間を連結する連結部同士が当接し、かつ、前記自由端部同士が当接していることを特徴とする請求項５に記載の傾斜屋根。
【請求項７】
前記軒先側端部には、前記傾斜屋根に設けられた軒先水切を構成する板状部材が固定されており、
前記補強部材は、前記板状部材の上に載置された状態で前記軒先側端部に固定されており、
接合した前記屋根板側張り出し部及び前記補強部材側張り出し部は、前記板状部材のうち、前記軒先側端部よりも外側に張り出した板状部材側張り出し部の上方に位置していることを特徴とする請求項１乃至６のいずれか一項に記載の傾斜屋根。
【発明の詳細な説明】
【技術分野】
【０００１】
本発明は、傾斜屋根に係り、特に、傾斜状態で配置されている下地パネルと、下地パネルの上方に位置して下地パネルを覆う屋根板と、を構成要素とする傾斜屋根に関する。
【背景技術】
【０００２】
建物の傾斜屋根は、一般的に、その下地をなす下地パネルと、下地パネルの上方に位置して下地パネルを覆う屋根葺き材としての屋根板により構成される。また、屋根葺き材として、例えば比較的薄板の鋼板（以下、化粧鋼板とも言う）からなる屋根板を用いる場合がある。
【０００３】
さらに、屋根葺き材の設置作業（葺設作業）を簡単かつ迅速に行う目的から屋根葺き材を支持する部材を下地パネルの軒先側端部に固定する構成が、既に知られている（例えば、特許文献１参照）。特許文献１に記載の屋根構造について説明すると、下地パネルに相当する野地板の軒先に、受け部を有する軒先水切を固定している。この軒先水切の受け部には、屋根葺き材としての本体瓦の軒側が載置され、当該本体瓦を、受け部を通して野地板に釘打ち固定することとしている。かかる構成により、特許文献１に記載の屋根構造では、広小舞を用いることなく屋根面に対する傾斜角度を確保して本体瓦を軒先に簡単かつ短時間に葺設することが可能となる。
【先行技術文献】
【特許文献】
【０００４】
【特許文献１】特開平１０−２６６４９６号公報
【発明の概要】
【発明が解決しようとする課題】
【０００５】
ところで、軒先では、屋根葺き材の先端部（下端部）が下地パネルの軒先側端部よりも幾分外側に張り出し、当該張り出し部分の下方位置には水切が配置されている。一方で、前述したように、屋根葺き材として化粧鋼板のような薄板を用いる場合があるが、かかる場合には、薄板のうち、下地パネルの軒先側端部より外側に張り出した部分が撓む等、不具合が生じる虞がある。かかる不具合について、以下、図６に示すように化粧鋼板２を屋根葺き材として使用した構成を例に挙げて具体的に説明する。
【０００６】
化粧鋼板２は、比較的に薄厚であるために外力が作用すると撓み変形を起こすことがある。例えば、化粧鋼板２のうち、下地パネル１の軒先側端部１ａよりも外側に張り出した部分（以下、張り出し部２ａ）に積雪等によって下向きの外力が掛かると、図６の（Ａ）に示すように、本来の形状（図中、実線にて図示）から張り出し部２ａが下方に沈み込んだ形状（図中、破線にて図示）へと変形する。同様に、張り出し部２ａに対して下方から吹き上がる風が当たる等して上向きの外力が掛かると、図６の（Ｂ）に示すように、本来の形状（図中、実線にて図示）から張り出し部２ａが上方に浮き上がった形状（図中、破線にて図示）へと変形する。
【０００７】
以上のような化粧鋼板２の変形は、傾斜屋根がその機能を適切に発揮することができなくなる原因にもなり兼ねない。そこで、本発明は、上記の課題に鑑みてなされたものであり、その目的とするところは、傾斜屋根の屋根葺き材である屋根板のうち、軒先における屋根板の変形を抑えることが可能な傾斜屋根を提供することである。
【０００８】
また、本発明の他の目的は、化粧鋼板の変形抑制の措置を講じるとともに、化粧鋼板と下地パネルとの間に流れ込んだ雨水等を適切に排するための構造を実現することである。
【課題を解決するための手段】
【０００９】
前記課題は、本発明の傾斜屋根によれば、傾斜状態で配置されている下地パネルと、該下地パネルの上方に位置して該下地パネルを覆う屋根板と、を有する傾斜屋根であって、前記下地パネルの軒先側端部に補強部材が固定されており、該補強部材は、前記軒先側端部よりも外側に張り出した補強部材側張り出し部を有し、前記屋根板のうち、前記軒先側端部よりも外側に張り出した屋根板側張り出し部は、該屋根板側張り出し部の自由端部が該自由端部と対向する対向部よりも下方に位置するようにコの字に折れ曲がっており、前記補強部材側張り出し部は、前記屋根板側張り出し部の前記自由端部と前記対向部との間に入り込んで前記屋根板側張り出し部と接合していることにより解決される。
【００１０】
上述の構成により、本発明の傾斜屋根では、軒先における屋根板の変形を抑制することが可能となる。すなわち、上記の構成では、補強部材側張り出し部が屋根板側張り出し部の自由端部と対向部との間に入り込んで屋根板側張り出し部と接合している。これにより、屋根板側張り出し部に外力が作用した際、屋根板側張り出し部が上下動するように屋根板が変形しようとするのを、補強部材側張り出し部によって規制することが可能となる。
【００１１】
また、上記の構成において、前記補強部材は、軒先とは反対側に位置し前記軒先側端部に固定されている固定部と、該固定部とは軒先側で隣接し前記固定部から立ち上がった立ち上がり部と、を有し、該立ち上がり部の前記固定部に対する立ち上がり角度が鈍角であることとしてもよい。
以上の構成であれば、屋根板と下地パネルとの間に流れ込んだ雨水等が、補強部材の固定部と立ち上がり部との境界付近に溜まり難くなるので、当該雨水等を適切に排水することが可能となる。
【００１２】
また、上記の構成において、前記補強部材は、前記傾斜屋根に設けられた軒先水切の延出方向に沿って列をなした状態で複数配置され、前記延出方向において互いに隣り合う前記補強部材の間には隙間が形成されていてもよい。
以上の構成であれば、屋根板の補強のために補強部材を複数設けたとしても、補強部材間に隙間が形成されているので、当該隙間を通じて、屋根板と下地パネルとの間に流れ込んだ雨水等を適切に排水することが可能となる。
【００１３】
また、上記の構成において、前記延出方向における前記隙間の長さは、前記延出方向における前記補強部材の長さよりも長いこととしてもよい。
以上の構成であれば、隙間の幅が十分に確保されるので、屋根板と下地パネルとの間に流れ込んだ雨水等に対する排水性能を更に向上させることが可能となる。
【００１４】
また、上記の構成において、前記補強部材側張り出し部は、該補強部材側張り出し部の自由端部が該自由端部と対向する対向部よりも下方に位置するようにコの字に折れ曲がっており、前記屋根板側張り出し部及び前記補強部材側張り出し部の双方は、互いに係合して接合していることとしてもよい。
以上の構成であれば、屋根板側張り出し部及び補強部材側張り出し部の双方が互いに係合して接合しているので、当該双方の接合強度が増し、この結果、軒先における屋根板の変形をより効果的に抑制することが可能となる。
【００１５】
また、上記の構成において、前記双方が係合した状態において、前記双方の各々において前記自由端部と前記対向部との間を連結する連結部同士が当接し、かつ、前記自由端部同士が当接していることとしてもよい。
以上の構成であれば、軒先における屋根板の変形を更に効果的に抑制することが可能となり、特に、風の吹き上げ等によって屋根板側張り出し部に上向きの外力が掛かった際に屋根板が変形するのを良好に抑えることが可能となる。
【００１６】
また、上記の構成において、前記軒先側端部には、前記傾斜屋根に設けられた軒先水切を構成する板状部材が固定されており、前記補強部材は、前記板状部材の上に載置された状態で前記軒先側端部に固定されており、接合した前記屋根板側張り出し部及び前記補強部材側張り出し部は、前記板状部材のうち、前記軒先側端部よりも外側に張り出した板状部材側張り出し部の上方に位置しているとしてもよい。
以上の構成であれば、軒先における屋根板の変形を抑制するという本発明の効果が好適に発揮される。すなわち、軒先水切の上方に屋根板側張り出し部が位置している構成では、屋根板を伝って流れ落ちる雨水を軒先水切に導くことで適切に排水されるようになっている。この際、屋根板の変形が抑制されていれば、雨水をスムーズに軒先水切に導くことが可能となる。
【発明の効果】
【００１７】
本発明の傾斜屋根によれば、傾斜屋根の屋根葺き材である屋根板のうち、軒先における屋根板の変形を適切に抑制することが可能である。かかる効果は、積雪量が多く風の吹き上げが発生し易い寒冷地において特に有意義なものである。
また、本発明の傾斜屋根によれば、屋根板の補強のために補強部材を設けたとしても、屋根板と下地パネルとの間に流れ込んだ雨水等を適切に排水することが可能である。
【図面の簡単な説明】
【００１８】
【図１】本発明の一実施形態に係る傾斜屋根の側方断面である。
【図２】図１中の軒先周辺の拡大図である。
【図３】本発明の一実施形態に係る補強部材の斜視図である。
【図４】本発明の一実施形態に係る補強部材と板状部材を示す側面図である。
【図５】本発明の一実施形態に係る補強部材と板状部材を示す平面図である。
【図６】従来の傾斜屋根における課題についての説明図である。
【発明を実施するための形態】
【００１９】
以下、本発明の一実施形態（以下、本実施形態）について図面を参照しながら説明する。なお、本実施形態は、本発明の理解を容易にするための一例に過ぎず、本発明を限定するものではない。すなわち、本発明は、その趣旨を逸脱することなく、変更、改良され得ると共に、本発明にはその等価物が含まれることは勿論である。
【００２０】
本実施形態に係る傾斜屋根Ｒは、住宅をはじめとする建物の屋根構造に利用可能なものである。以下では、本実施形態に係る傾斜屋根Ｒの構成について図１乃至図５を参照しながら説明する。
【００２１】
本実施形態に係る傾斜屋根Ｒの構成は、本発明の特徴である補強部材が用いられている点を除き、従来の傾斜屋根の構成と概ね共通している。すなわち、本実施形態に係る傾斜屋根Ｒは、図１に示すように、野地板である下地パネル１と、金属製の屋根板である化粧鋼板２と、を有する。ここで、化粧鋼板２は、下地パネル１の上方に葺設され下地パネル１を覆う屋根葺き材（屋根材）である。また、化粧鋼板２は、比較的薄厚の鋼板によって構成されているため、可撓性を有する。なお、化粧鋼板２の材質については、屋根葺き材として好適な材料であれば特に制限されるものではないが、一例を挙げると、ガルバリウム鋼板が利用可能である。
【００２２】
また、下地パネル１の軒先側端部１ａには、軒先水切を構成する板金部材３（板状部材に相当）がネジ止めにて固定されている。この板金部材３の延出方向、換言すると、軒先水切の延出方向は、所定方向、厳密には建物の桁行方向（図１の紙面を貫く方向）に沿っている。また、板金部材３は、側面視で山折り状に屈曲している。このように山折り状に屈曲していることで板金部材３は、その自由端側の端部３ａが鉛直方向に対してやや傾いた方向に垂れ下がった状態で、下地パネル１の軒先側端部１ａに固定されている。ここで、板金部材３のうち、下方に垂れ下がった自由端側の端部３ａは、板状部材側張り出し部に相当し、下地パネル１の軒先側端部１ａよりも外側に張り出している。
また、板金部材３の自由端側の端部３ａの下方位置には、軒樋５が配設されている。
【００２３】
一方で、化粧鋼板２のうち、最も軒先側（最も下側）に葺設されるものは、図２に示すように、下地パネル１の軒先側端部１ａよりも外側に幾分張り出した状態で葺設される。この軒先側端部１ａよりも外側に張り出した部分（以下、張り出し部）２ａは、屋根板側張り出し部に相当し、側面視でコの字状に折れ曲がっている。より厳密に説明すると、張り出し部２ａは、その自由端部２ｂが該自由端部２ｂと対向する対向部２ｃよりも下方に位置するようにコの字に折れ曲がっている。
【００２４】
ところで、発明が解決しようとする課題の項で説明したように、屋根葺き材として化粧鋼板２を用いると、最も軒先側に葺設される化粧鋼板２の張り出し部２ａに積雪や風の吹き上げ等によって外力が掛かって本来の形状から撓んでしまう虞がある。このように化粧鋼板２が変形してしまうことで、傾斜屋根Ｒに沿って軒先へ流れ落ちる雨水を適切に軒樋５に導けなくなり、傾斜屋根Ｒの排水性能を低下させることにもなり兼ねない。
【００２５】
これに対して、本実施形態に係る傾斜屋根Ｒでは、補強部材としての補強金具４を用いることによって軒先における化粧鋼板２の変形を抑制している。以下、補強金具４について詳しく説明する。
【００２６】
補強金具４は、最も軒先側に葺設された化粧鋼板２の強度を高めるための部材である。この補強金具４は、図３に示す外形形状を有しており、化粧鋼板２よりも厚みが大きい鋼板を折り曲げ加工して形成される。なお、補強金具４の材質については、以下に説明する補強金具４の機能を好適に発揮するものであれば特に限定されるものではないが、一例を挙げると、溶融亜鉛メッキ鋼板が利用可能である。
【００２７】
また、補強金具４は、下地パネル１の軒先側端部１ａに固定されており、図２に示すように、下地パネル１の軒先側端部１ａよりも外側に幾分張り出した状態で配置される。より厳密に説明すると、補強金具４は、図４に示すように板金部材３の上に載置されて板金部材３にリベットにて取り付けられ、さらに板金部材３とともに下地パネル１の軒先側端部１ａにネジ止めされている。
【００２８】
さらに、図２及び図４に示すように、補強金具４のうち、下地パネル１の軒先側端部１ａよりも外側に張り出した部分（以下、張り出し部）４ａの張り出し量は、板金部材３の自由端側の端部３ａの張り出し量よりも小さくなっている。換言すると、補強金具４が所定位置に固定された状態において、張り出し部４ａは、板金部材３の自由端側の端部３ａの上方に位置していることになる。なお、張り出し部４ａは、補強部材側張り出し部に相当する。
【００２９】
そして、図２に示すように、補強金具４の張り出し部４ａは、最も軒先側に葺設された化粧鋼板２の張り出し部２ａにおける自由端部２ｂと対向部２ｃとの間に入り込んで、当該張り出し部２ａと接合している。これにより、軒先における化粧鋼板２の変形を良好に抑制することが可能となる。
【００３０】
ここで、補強金具４と化粧鋼板２との関係について詳細に説明すると、補強金具４の張り出し部４ａは、化粧鋼板２の張り出し部２ａと対応して側面視でコの字状に折れ曲がっている。より厳密には、補強金具４の張り出し部４ａは、その自由端部４ｂが該自由端部４ｂと対向する対向部４ｃよりも下方に位置するようにコの字に折れ曲がっている。
【００３１】
そして、いずれもコの字状に折れ曲がった補強金具４及び化粧鋼板２の各々の張り出し部４ａ、２ａは、図２に示すように、互いに係合して接合している。より具体的に説明すると、最も軒先側の化粧鋼板２は、その張り出し部２ａが補強金具４の張り出し部４ａに引っ掛けられ、さらに両張り出し部２ａ、４ａが重なり合うように葺設される。この結果、両張り出し部２ａ、４ａが互いに係合し、かかる状態では、張り出し部２ａ、４ａ中の自由端部２ｂ、４ｂ同士が当接している。さらに、上記の状態では、張り出し部２ａ、４ａ中、最も軒先側に位置する連結部２ｄ、４ｄ同士が当接している。ここで、連結部２ｄ、４ｄとは、各張り出し部２ａ、４ａにおいて自由端部２ｂ、４ｂと対向部２ｃ、４ｃとの間を連結している部分である。
【００３２】
以上のように、本実施形態では、最も軒先側に葺設された化粧鋼板２の張り出し部２ａが、補強金具４の張り出し部４ａに係合し密着するようになる。このように両張り出し部２ａ、４ａが好適に係合していることにより、本実施形態では、化粧鋼板２の変形を効果的に抑制することが可能である。特に、両張り出し部２ａ、４ａの各々において下端部分に相当する自由端部２ｂ、４ｂ同士が接合しているので、風の吹き上げ等によって化粧鋼板２の張り出し部２ａに上向きの外力が掛かったとしても、当該化粧鋼板２の変形を良好に抑えることが可能となる。
【００３３】
なお、化粧鋼板２及び補強金具４の双方の張り出し部２ａ、４ａが互いに係合して接合した状態では、図２に示すように、両張り出し部２ａ、４ａが板金部材３の自由端側の端部３ａの上方に位置している。また、両張り出し部２ａ、４ａの張り出し量は、板金部材３の自由端側の端部３ａの張り出し量よりも小さくなっている。以上の構成により、化粧鋼板２の表面上を流れ落ちる雨水を軒先水切に導き、当該雨水を適切に排水することが可能となる。さらに、補強金具４により化粧鋼板２の変形を抑制することで、化粧鋼板２が雨水をスムーズに軒先水切へ導くようになる。
【００３４】
次に、補強金具４の構成について図２乃至図４を参照しながら改めて説明する。
補強金具４は、図３に示す通り、側面視で、下地パネル１に固定される固定部４ｓ、固定部４ｓから立ち上がった立ち上がり部４ｔ、立ち上がり部４ｔの上端から延出した延出部４ｕ、及び、張り出し部４ａを備えている。
【００３５】
固定部４ｓは、補強金具４を下地パネル１の軒先側端部１ａに固定するために設けられた部分であり、補強金具４の固定時に軒先とは反対側に位置し、下地パネル１の上面に沿って延出している。立ち上がり部４ｔは、固定部４ｓとは軒先側で隣接した部分である。また、本実施形態において、立ち上がり部４ｔの固定部４ｓに対する立ち上がり角度は、鈍角となっている。ここで、立ち上がり角度とは、固定部４ｓと立ち上がり部４ｔとがなす角度であり、図４中、記号θにて表される角度である。
【００３６】
延出部４ｕは、固定部４ｓとは反対側で立ち上がり部４ｔと隣接し、下地パネル１の上面に沿って延出した部分である。この延出部４ｕの上面と、張り出し部４ａ中の対向部４ｃの上面とは、連続しており下地パネル１の上面と略平行な平面を形成している。かかる平面（以下、補強金具４の上端面）は、補強金具４が下地パネル１の軒先側端部１ａに固定された状態において化粧鋼板２の下方に位置している。
【００３７】
より具体的に説明すると、補強金具４が下地パネル１の軒先側端部１ａに固定された状態では、図２に示すように、補強金具４の上端面の上方に、化粧鋼板２（厳密には、張り出し部２ａ中の対向部２ｃを含む下端部分）が配置されている。なお、補強金具４の上端面と化粧鋼板２との間には若干のクリアランスが形成されている。
【００３８】
また、補強金具４の上端面は、補強金具４が下地パネル１の軒先側端部１ａに固定された状態において、下地パネル１の上面に沿っている一方で化粧鋼板２に対しては僅かに傾いている。詳しくは、補強金具４の上端面は、軒先側に向かうにつれて化粧鋼板２から離れるように傾いている。この結果、補強金具４の上端面と化粧鋼板２との間のクリアランスについては、軒先側ではより大きく、軒先の反対側ではより小さくなっている。このように上記のクリアランスが軒先の反対側でより小さくなっていることにより、当該クリアランスに起因して生じる化粧鋼板２のガタツキを抑制することが可能となっている。
【００３９】
以上までに補強金具４の構造について説明したが、以下では、補強金具４の配置位置等について図５を参照しながら説明する。本実施形態では、前述したように、下地パネル１の軒先側端部１ａに補強金具４が板金部材３とともにネジ止めされている。より詳しく説明すると、図５に示すように、補強金具４は、板金部材３の延出方向（すなわち、軒先水切の延出方向に相当し、具体的には桁行方向）に沿って一定間隔毎に複数配置されている。複数の補強金具４は、上記延出方向に沿った列をなして並んでおり、また、同方向において互いに隣り合う補強部材４の間には隙間が形成されている。このように本実施形態では、補強金具４が断片化（ピース化）されて板金部材３の延出方向に沿って断続的に配置されている。これにより、化粧鋼板２と下地パネル１との間の空間内に雨水が流れ込んだとしても、当該空間外へ補強金具４間の隙間を通じて雨水が適切に排水されるようになる。
【００４０】
なお、本実施形態では、図５に示すように、補強金具４間の隙間の幅（例えば、４５５ｍｍ程度）が、各補強金具４の幅（例えば、約１００ｍｍ）よりも十分に長くなっている。このように隙間の幅が十分に確保されることで、化粧鋼板２と下地パネル１との間の空間内に流れ込んだ雨水に対する排水性能がより一層向上することとなる。ちなみに、「幅」とは、板金部材３の延出方向における長さを意味する。
【００４１】
また、本実施形態に係る補強金具４については、下地パネル１に固定される固定部４ｓと、固定部４ｓから立ち上がった立ち上がり部４ｔとを備え、立ち上がり部４ｔの固定部４ｓに対する立ち上がり角度θが鈍角となっている。このように立ち上がり角度θが鈍角となっていれば、化粧鋼板２と下地パネル１との間の空間内に流れ込んだ雨水が、補強金具４の固定部４ｓと立ち上がり部４ｔとの境界付近に溜まり難くなる。この結果、化粧鋼板２と下地パネル１との間の空間内に流れ込んだ雨水に対する排水性能が益々向上することとなる。
【００４２】
以上までに本実施形態に係る傾斜屋根Ｒの構成とその有効性について説明したが、本実施形態に係る傾斜屋根Ｒの効果、すなわち、積雪や風の吹き上げ等により軒先において化粧鋼板２が変形してしまうのを抑える効果は、積雪や風の吹き上げが多発する寒冷地において特に有意義なものとなる。ただし、当然ながら、本実施形態に係る傾斜屋根Ｒは、非寒冷地においても有効である。
また、上記の効果は、補強金具４によってもたらされるものであるが、補強金具４については、化粧鋼板２と下地パネル１との間の空間に流れ込んだ雨水に対する排水性を阻害しない形状及び配置を採用している。この結果、積雪や風の吹き上げ等に対する強度、並びに、排水性を同時に満たす傾斜屋根Ｒが実現されることとなる。
【００４３】
なお、本実施形態に係る構成として図１乃至図５に図示した内容については、あくまでも一例であり、例えば補強金具４の形状やサイズ等については、上述の効果が奏される限りにおいては自由に設計することが可能である。また、本実施形態では、補強部材として補強金具４を用いることとしたが、樹脂製品の補強部材を用いることとしてもよい。さらに、軒先付近の構造、特に、補強金具４周りのレイアウト（例えば、鼻隠し構造）については、傾斜屋根Ｒを有する建物の設置環境に応じて変えることとしてもよい。さらにまた、本実施形態では、屋根葺き材として金属製の屋根板である化粧鋼板２を用いることとしたが、比較的に薄厚で可撓性を有するものであれば非金属の屋根板であってもよい。
【符号の説明】
【００４４】
１  下地パネル
１ａ  軒先側端部
２  化粧鋼板
２ａ  張り出し部（屋根板側張り出し部）
２ｂ  自由端部
２ｃ  対向部
２ｄ  連結部
３  板金部材（板状部材）
３ａ  自由端側の端部（板状部材側張り出し部）
４  補強金具（補強部材）
４ａ  張り出し部（補強部材側張り出し部）
４ｂ  自由端部
４ｃ  対向部
４ｄ  連結部
４ｓ  固定部
４ｔ  立ち上がり部
４ｕ  延出部
５  軒樋
Ｒ  傾斜屋根
【図１】
2015129409.tif 000003
【図２】
2015129409.tif 000004
【図３】
2015129409.tif 000005
【図４】
2015129409.tif 000006
【図５】
2015129409.tif 000007
【図６】
2015129409.tif 000008